(57)【要約】      （修正有）【課題】給水管路において、下流管路の水圧を低下させ所定値に保持するだけでなく、小流量で給水するとき安定した水流を保持し、水流の脈動が生じず、さらには瞬間的な高水圧による水撃現象を防止できる二子弁駆動式減圧弁構造を提供する。【解決手段】主に制御親弁１および第１減圧子弁２、第２減圧子弁３を含む。第１、第２減圧子弁の両端は、それぞれ制御親弁の一次側と二次側に接続され、それぞれ異なる流体圧力値が設定される。第１減圧子弁は検出調節弁であり、第２減圧子弁は低水量時の脈動防止用バイパス弁である。第１、第２減圧子弁の異なる流体圧力の設定値により、第１減圧子弁は二次側の水圧を検出して制御親弁の開度と流量を調節し、下流管路の給水圧力を低下させて水圧を所定値に保持する。さらに第２減圧子弁は小流量時、制御親弁を閉じるように促し、バイパスの第２子弁のみにより小流量の需要を満たす。【選択図】図１
0003223626.tif 000002
【実用新案登録請求の範囲】
【請求項１】
制御親弁および第１減圧子弁および第２減圧子弁を含む、二子弁駆動式減圧弁構造であって、該第１減圧子弁および第２減圧子弁の両端は、それぞれ制御親弁の一次側および二次側に接続され、該第１減圧子弁および第２減圧子弁にそれぞれ異なる流体圧力値が設定され、このうち、該第１減圧子弁は検出調節弁であり、該第２減圧子弁は低水量時の脈動防止バイパス弁であり、該第１減圧子弁が二次側の水圧を検出し、制御親弁の排水流量を調節して制御親弁を開、閉させ、下流の水圧を所定値に一定に保持し、これにより組み合わせた給水管路内の使用圧力を一定にし、さらに第２減圧子弁が、小流量で給水するときの一定水圧を維持することにより、制御親弁から小流量で給水するときの脈動現象を防止し、さらには瞬間的な高水圧による水撃現象を防止する構造。
【請求項２】
該第１減圧子弁および第２減圧子弁に、それぞれ上部カバーおよび下部カバーと台座とからなる本体が設けられ、該下部カバーに一次側通路および二次側通路が設けられ、本体内部に上から下に順番にスプリング、ダイヤフラム、ステムおよびプラグなどの部材が設けられ、該作動部材により流体の流量を調節し、制御親弁の下流端で水の使用を開始し、二次側の給水圧力が該２つの減圧子弁の圧力設定値より低いとき、該モジュールを同時に下に移動させ、制御弁を開く作用を達成して給水を開始し、制御親弁の下流端で水の使用を停止し、二次側の水圧が該２つの減圧子弁の圧力設定値より高いとき、該モジュールを同時に上に移動させ、制御親弁を閉じる作用を達成して給水を停止する、請求項１に記載の二子弁駆動式減圧弁構造。
【考案の詳細な説明】
【技術分野】
【０００１】
本考案は二子弁駆動式減圧弁構造に関し、特に給水管路内の給水圧力を低下させ、下流の給水圧を所定値に一定に保持することができ、さらに脈動水圧による管路の水撃現象を防止することができる子弁駆動式減圧弁構造を指す。
【背景技術】
【０００２】
以前の高層ビル給水の設計は、図５に示すように、各段階または一定高さごとに、それぞれ貯水タンク４を設け、各段階で使用する水を供給していた。しかし、この種の方式は配管が複雑で、コストが高いため、新しい建築法規は中間貯水タンク４の代わりに減圧弁５を採用して給水する（図６に示す通り）ことを許可している。しかし、給水管路の圧力が減圧されると、同じ管路を使用する所帯が多い場合、ピーク時とそうでない時間帯の使用水量の差が大きいのは避けられない。例えば、一旦真夜中になり、１人が少量の水を使用すると、減圧弁の流量が該減圧親弁の最低流量より低いとき、水流の脈動が生じ、これにより強烈な騒音および水撃効果が引き起こされる。したがってこの子弁制御式減圧弁は、バイパス減圧子弁を追加し、制御親弁を閉じるように促して、小流量の水はバイパス減圧子弁のみを通るようにしなければならない。このようにしなければ、給水圧力の安定を保持し、水流の脈動が生じないようにすることができない。
【０００３】
既知の減圧弁構造は、設計要素により、制御親弁の弁体が水流量を極めて小さい範囲まで安定して制御することができないため、制御親弁から小流量で水を使用するとき、水流の脈動が生じる。状況は上記の通りであるが、バイパス減圧弁の配管は大きな空間が必要であり、減圧親弁およびバイパス子弁の圧力設定は、現場で調整、対応させるのが難しい。出願人はこのことを考慮して、研究、実験を続け、子弁駆動式減圧弁構造の設計に成功した。子弁制御式減圧弁すなわちバイパス子弁を一体に結合し、減圧を安定させる目的を達成するほか、小流量時、瞬間的な衝撃波、水圧が水撃現象を引き起こすのを防止することもできる。
【考案の概要】
【考案が解決しようとする課題】
【０００４】
本考案の主な目的は、給水管路内の給水圧力を低下させ、水使用量の多少に関わらず、管路の下流を所定の水圧に一定に維持することができ、さらに水使用量の多少に関わらず、瞬間的な水圧の脈動による管路の水撃現象を防止することができる、二子弁駆動式減圧弁構造を提供することにある。
【課題を解決するための手段】
【０００５】
前記二子弁駆動式減圧弁構造は、制御親弁および第１減圧子弁、第２減圧子弁を含む。該第１減圧子弁および第２減圧子弁の両端は、それぞれ制御親弁の一次側および二次側に接続され、それぞれ異なる流体圧力値が設定される。このうち、該第１減圧子弁は検出調節弁であり、制御親弁の二次側の水圧を検出して、制御親弁の開度を調節し、流量を下流の需要に適合させるが、水圧は依然として所定値に保持される。該第２減圧子弁は、低水量時の脈動防止用バイパス弁である。第１減圧子弁および第２減圧子弁の異なる設定圧力の動作により、制御親弁を開、閉させ、下流の水圧を設定値に安定して維持する。第１減圧子弁および第２減圧子弁の異なる流体圧力の設定により、小流量時、適時制御親弁を閉じ、第２バイパス子弁を開き、給水時の水流の脈動現象を防止し、さらには瞬間的な高水圧による水撃現象を防止する。
【０００６】
前記子弁駆動式減圧弁構造において、このうちの第１減圧子弁および第２減圧子弁に、上部カバーおよび下部カバーと台座とからなる本体が設けられ、該下部カバーに一次側通路および二次側通路が設けられ、本体内部に上から下に順番にスプリング、ダイヤフラム、ステムおよびプラグなどの部材が設けられる。該作動部材により流体の流量を調節し、制御親弁の二次側の給水圧力が第１減圧子弁の圧力設定値より低いとき、スプリングは該内部モジュールを同時に下に移動させる。子弁は制御親弁の上部カバーのＴ字ジョイントに接続され、制御親弁のダイヤフラム上方にたまった水を排出し、ダイヤフラムは上昇し、制御親弁を開く作用を達成する。制御親弁の二次側の水圧が第１子弁の設定圧力より高いとき、水圧は該内部モジュールを同時に上に移動させる。子弁は閉じられ、前記Ｔ字ジョイントは制御親弁のダイヤフラム上方に水を満たし、ダイヤフラムに圧力を加えて下降させ、制御親弁を閉じる作用を達成する。二次側の水流量および圧力を調節する目的を達成する。減圧弁の二次側から小流量で給水するとき、第２減圧子弁の設定水圧は第１減圧子弁よりやや高いため、第１減圧子弁は閉じると同時に、制御親弁を閉じ、第２減圧子弁のみが開いて給水するため、水流の脈動による水流の衝撃はない。
【図面の簡単な説明】
【０００７】
【図１】本考案の立体図である。
【図２】本考案の別の立体図である。
【図３】本考案の減圧子弁の断面図である。
【図４】本考案の動作状態図である。
【図５】既知の貯水タンクの設置状態図である。
【図６】既知の減圧弁の設置状態図である。
【考案を実施するための形態】
【０００８】
図１および図２、さらに図３を組み合わせて同時に参照されたい。これらは、本考案の立体図および減圧子弁の断面図である。図に示すように、本考案は制御親弁１および第１減圧子弁２、第２減圧子弁３を含む。このうち、該制御親弁１は一次側１１（取水端）および二次側１２（排水端）を有し、該２つの減圧子弁の両端は、それぞれ制御親弁１の一次側１１および二次側１２に接続される。
【０００９】
本実施例において、該第１減圧子弁２は圧力を検出し、制御親弁１の開度を調節する弁であり、該第２減圧子弁３は低水量時の脈動防止用バイパス弁である。該第１減圧子弁２および第２減圧子弁３に、上部カバー２１、３１および下部カバー２２、３２と台座２３、３３とからなる本体が設けられ、該下部カバー２２、３２に、一次側通路２１１、３１１および二次側通路２１２、３１２が設けられる。本体内部に上から下に順番にスプリング２４、３４、ダイヤフラム２５、３５、ステム２６、３６およびプラグ２７、３７などの部材が設けられ、該上部カバー２１、３１に、圧力調整ボルト２８、３８が設けられる。
【００１０】
該第１減圧子弁２および第２減圧子弁３は、それぞれ一次側通路２１１、３１１および二次側通路２１２、３１２から制御親弁１の一次側１１および二次側１２に接続され、さらに圧力調整ボルト２８、３８により圧力設定値が適切に調整され、このうち第２減圧子弁３の二次側３１２は制御親弁１の上部カバー上のＴ字ジョイント６とも並列接続される。制御親弁１（減圧弁）の下流端で水を使用し、制御親弁１の二次側１２の給水圧力が第１減圧子弁２の圧力設定値より低いとき、該第１減圧子弁２内の該モジュールを下に移動させて流量を増加させる。Ｔ字ジョイント６を介して制御親弁１の上部カバー内の水を排出し、ダイヤフラムはこのため同時に開度を大きくし、制御親弁１を開く作用を達成する。制御親弁１（減圧弁）の下流端の水使用量が減少し、制御親弁１の二次側１２の水圧が上昇して、該第１減圧子弁２の圧力設定値より高いとき、該第１減圧子弁２内の該モジュールを同時に上に移動させて流量を減少させる。制御親弁１のダイヤフラムはＴ字ジョイント６の取水により下降し、さらには制御親弁１を閉じる作用を達成する。
【００１１】
前記部材の組合せにより、子弁駆動式減圧弁構造を構成する。該第１減圧子弁２が制御親弁１の開度を自動調節することにより、排水量の多少に関わらず、下流の水圧を保持し、所定値に固定する。該第２減圧子弁３は、第１減圧子弁２よりやや高い、異なる圧力設定値を利用し、小流量時に制御親弁１を自動的に閉じ、第２減圧子弁３のみを開いて給水する。これにより制御親弁１が小流量時に脈動現象を生じ、さらには瞬間的な高水圧が発生し、水撃現象が生じるのを防止する。
【００１２】
図４を参照されたい。図４は、本考案の動作状態図である。図に示すように、本考案は制御親弁１に並列接続される第１減圧子弁２および第２減圧子弁３の圧力設定値が異なるため、制御親弁１の二次側１２の給水圧力が第２減圧子弁３の圧力設定値より低いが、第１減圧子弁２の圧力設定値より高いとき、制御親弁１をまだ開くことができず、必要な流量は第２減圧子弁３から通過する。下流の水の需要量が増加すると、第２減圧子弁３は流量の増加により排水圧力が低下し、つまり制御親弁１の二次側１２の給水圧力が低下する。圧力が第１減圧子弁２の圧力設定値以下まで低下したとき、制御親弁１を開く作用を達成する。これは言い換えれば、第１減圧子弁２および第２減圧子弁３の２つの減圧子弁における異なる流体圧力の設定値により、制御親弁１から小流量で給水するとき、水流の脈動現象が生じ、さらには瞬間的な高水圧により水撃現象が生じるのを防止する。
【００１３】
前記実施例は、本考案を説明する好ましい実施方式に過ぎず、本考案の範囲を制限しない。少しの修飾、変更により、本考案の重要な要点を失うことはなく、本考案の主旨の範疇も逸脱しない。
【００１４】
要約すると、本考案は、スプリング、ダイヤフラム、ステムおよびプラグなどの部材を設けた２つの減圧子弁を制御親弁に並列接続することにより、二子弁駆動式減圧弁構造を構成する。組み合わせた給水管路内の給水圧力を低下させ、さらに管路の下流の給水圧を所定値に一定に保持することができ、同時に制御親弁から小流量で給水するとき、脈動現象が生じるのを防止し、瞬間的な高水圧による水撃現象を防止する。実用的な設計であり、確かに新規性を有する考案に属するため、法に基づき、実用新案の出願を行う。貴庁の審査により、一日も早く実用新案登録が授与されることを願います。よろしくお願い致します。
【符号の説明】
【００１５】
１  制御親弁
１１  一次側
１２  二次側
２  第１減圧子弁
２１  上部カバー
２１１  一次側通路
２１２  二次側通路
２２  下部カバー
２３  台座
２４  スプリング
２５  ダイヤフラム
２６  ステム
２７  プラグ
２８  圧力調整ボルト
３  第２減圧子弁
３１  上部カバー
３１１  一次側通路
３１２  二次側通路
３２  下部カバー
３３  台座
３４  スプリング
３５  ダイヤフラム
３６  ステム
３７  プラグ
３８  圧力調整ボルト
４  貯水タンク
５  減圧弁
６  Ｔ字ジョイント
【図１】
0003223626.tif 000003
【図２】
0003223626.tif 000004
【図３】
0003223626.tif 000005
【図４】
0003223626.tif 000006
【図５】
0003223626.tif 000007
【図６】
0003223626.tif 000008
【手続補正書】
【提出日】令和1年8月20日(2019.8.20)
【手続補正１】
【補正対象書類名】実用新案登録請求の範囲
【補正対象項目名】全文
【補正方法】変更
【補正の内容】
【実用新案登録請求の範囲】
【請求項１】
制御親弁および第１減圧子弁および第２減圧子弁を含む、二子弁駆動式減圧弁構造であって、該第１減圧子弁および第２減圧子弁の両端は、それぞれ制御親弁の一次側および二次側に接続され、該第１減圧子弁および第２減圧子弁にそれぞれ異なる流体圧力値が設定され、このうち、該第１減圧子弁は検出調節弁であり、該第２減圧子弁は低水量時の脈動防止バイパス弁であり、該第１減圧子弁が二次側の水圧を検出し、制御親弁の排水流量を調節して制御親弁を開、閉させ、下流の水圧を所定値に一定に保持し、これにより組み合わせた給水管路内の使用圧力を一定にし、さらに第２減圧子弁が、小流量で給水するときの一定水圧を維持することにより、制御親弁から小流量で給水するときの脈動現象を防止し、さらには瞬間的な高水圧による水撃現象を防止する構造。
【請求項２】
該第１減圧子弁および第２減圧子弁に、それぞれ上部カバーおよび下部カバーと台座とからなる本体が設けられ、該下部カバーに一次側通路および二次側通路が設けられ、本体内部に上から下に順番にスプリング、ダイヤフラム、ステムおよびプラグなどの部材が設けられ、該部材により流体の流量を調節し、制御親弁の下流端で水の使用を開始し、二次側の給水圧力が該２つの減圧子弁の圧力設定値より低いとき、該部材からなるモジュールを同時に下に移動させ、制御弁を開く作用を達成して給水を開始し、制御親弁の下流端で水の使用を停止し、二次側の水圧が該２つの減圧子弁の圧力設定値より高いとき、該モジュールを同時に上に移動させ、制御親弁を閉じる作用を達成して給水を停止する、請求項１に記載の二子弁駆動式減圧弁構造。